(57)【要約】  本発明は、端末装置から該端末装置が訪れているネットワーク（Ｓ−ＣＳＣＦ，Ｐ−ＣＳＣＦ，ＧＧＳＮ，ＳＧＳＮ，Ｒａｄｉｏ  Ａｃｃｅｓｓ  Ｎｅｔｗｏｒｋ）を介するＩＭＳとの緊急コールコネクションを確立する方法に関する。端末装置が既にＩＭＳに登録されている場合に、訪問先のネットワークにログインした際に端末装置に通知された訪問先のネットワークのネットワーク識別子（ＭＣＣ１／ＭＮＣ１）と、端末装置のホームネットワークのネットワーク識別子（ＭＣＣ２／ＭＮＣ２）とを比較し、これら２つのネットワーク識別子が一致するならば、緊急コールコネクションの確立時に該緊急コールコネクションのためのＩＭＳにおける端末装置のＩＭＳ登録を省略する。
2009534967.tif 000002
【特許請求の範囲】
【請求項１】
端末装置から該端末装置が訪れているネットワーク（Ｓ−ＣＳＣＦ，Ｐ−ＣＳＣＦ，ＧＧＳＮ，ＳＧＳＮ，Ｒａｄｉｏ  Ａｃｃｅｓｓ  Ｎｅｔｗｏｒｋ）を介するＩＭＳとの緊急コールコネクションを確立する方法において、
前記端末装置が既に前記ＩＭＳに登録されている場合に、訪問先のネットワークにログインした際に前記端末装置に通知された前記訪問先のネットワークのネットワーク識別子（network identifier，ＭＣＣ１／ＭＮＣ１）と、前記端末装置のホームネットワークのネットワーク識別子とを比較し、これら２つのネットワーク識別子が一致するならば、緊急コールコネクションの確立時に該緊急コールコネクションのための前記ＩＭＳにおける前記端末装置のＩＭＳ登録を省略することを特徴とする、緊急コールコネクションを確立する方法。
【請求項２】
前記ネットワーク識別子の一致は、前記端末装置および／または前記端末装置内に設けられている移動無線加入者識別モジュールが自身のホームネットワーク内に存在することを示す、請求項１記載の方法。
【請求項３】
前記比較によりネットワーク識別子の一致が明らかになると、前記端末装置は既存のＩＭＳ登録を介して緊急コールを行う、請求項１記載の方法。
【請求項４】
前記比較を前記端末装置において行う、請求項１記載の方法。
【請求項５】
前記ネットワークはセルラ移動無線網またはＷＬＡＮ／ＷＩＭＡＸネットワークである、請求項１から４までのいずれか１項記載の方法。
【請求項６】
前記ネットワークは固定網である、請求項１から５までのいずれか１項記載の方法。
【請求項７】
前記端末装置に訪問先の移動無線網のネットワーク識別子を、該訪問先の移動無線網に対する該端末装置の認証時に伝送する、請求項１から６までのいずれか１項記載の方法。
【請求項８】
移動無線網のＰ−ＣＳＣＦが前記端末装置のＩＭＳ登録リクエスト（ＳＩＰ  ＲＥＧＩＳＴＥＲ）に応答して、前記Ｐ−ＣＳＣＦ自体が存在するネットワークのネットワーク識別子（network identifier、ＭＣＣ１／ＭＮＣ１）を前記端末装置に送信し、
前記端末装置は訪問先のネットワークがホームネットワークでないことを確認すると、登録時に前記Ｐ−ＣＳＣＦから取得したネットワーク識別子（ＭＣＣ２／ＭＣＮ２）を用いて、前記Ｐ−ＣＳＣＦは前記端末装置が訪問した移動無線網内に同様に存在するか否かを求め、
前記Ｐ−ＣＳＣＦが前記訪問した移動無線網内に存在する場合には、緊急コールコネクションの確立時に、該緊急コールコネクションのための前記ＩＭＳにおける前記端末装置の特別なＩＭＳ登録を省略し、前記端末装置によって前記緊急コールコネクションのためのＳＩＰセッション（ＳＩＰ  ＩＮＶＩＴＥ）を確立し、
前記Ｐ−ＣＳＣＦが前記訪問した移動無線網内に存在しない場合には、緊急コールコネクションの確立時に、該緊急コールコネクションのためにＳＩＰセッション（ＳＩＰ  ＩＮＶＩＴＥ）を確立する前に、先ず該緊急コールコネクションのために前記ＩＭＳにおける前記端末装置の特別なＩＭＳ登録を行う、請求項１から７までのいずれか１項記載の方法。
【請求項９】
前記緊急コールコネクションのためにＳＩＰセッションを「ＳＩＰ  ＩＮＶＩＴＥ」メッセージにより確立する、請求項８記載の方法。
【請求項１０】
Ｐ−ＣＳＣＦが緊急コールを処理できない場合には、前記Ｐ−ＣＳＣＦは該緊急コールを処理できないことに関する情報を前記端末装置の登録リクエストに対する応答として前記端末装置に返送し、前記端末装置は特別な緊急コール登録を実施する必要があるか否かを判定する際に前記情報を考慮する、請求項１から９までのいずれか１項記載の方法。
【請求項１１】
請求項１から１０までのいずれか１項記載の方法を実施する装置。
【発明の詳細な説明】
【技術分野】
【０００１】
本発明は、緊急コール時にＩＭＳ登録するための方法および装置に関する。
【０００２】
セルラ移動無線網のようなネットワークは例えばwww.etsi.orgまたはwww.3gppp.orgにおける仕様から当業者には公知である。
【０００３】
３ＧＰＰ標準化グループのTS 23.167 Release 7はＩＭＳ（ＩＰマルチメディアサブシステム）における緊急コールを規定している。この3GPP Technical Specification TS 23.167は、例えばETSI TISPANおよびCableLabsにおいて標準化されているような次世代固定網（Next Generation Fixed Networks）にも該当する。ＩＭＳ緊急コールにおける重要な基本原理は特別な「ＩＭＳ緊急コール登録」である。現在のところTS 23.167は、ＩＭＳにおいて緊急コールを行おうとする端末装置が先ず固有の緊急コールＳＩＰ  ＵＲＩ（緊急コール公共ユーザ識別子；Notruf Public User Identityとも称される）を用いてＩＭＳに登録されることを前提としている。このＳＩＰ  ＵＲＩ（セッション開始プロトコル定型リソース識別子；Session Initiation Protocol Uniform Resource Identifier）は端末装置において事前にコンフィギュレートされているか、端末装置によって例えば（設けられている場合には）ＵＩＣＣ（汎用集積回路カード；Universal Integrated Circuit Card）に記憶されている既存のＳＩＰ  ＵＲＩから生成される。ＧＰＲＳ（汎用パケット無線サービス；General Packet Radio Service）／ＵＭＴＳ（汎用移動通信体システム；Universal Mobile Telecommunicatins System）の場合には、ＩＭＳにおける登録に先行して緊急コールＰＤＰまたは非常ＰＤＰ（パケットデータプロトコル；Packet Data Protocol）コンテキストの確立が行われる。ＰＤＰコンテキストは端末装置とＧＧＳＮとの間のセッションを確立し、端末装置にＩＰアドレスおよびＰ−ＣＳＣＦアドレスを割り当てる。このＰＤＰコンテキストは固有のＡＰＮ（アクセスポイント名；Access Point Name）を使用し、このＡＰＮにより訪問先の移動無線網（ＶＰＬＭＮ）におけるＧＧＳＮ（ゲートウェイＧＰＲＳサポートノード）およびＰ−ＣＳＣＦ（プロキシコールセッション制御機能；Proxy Call Session Control Function）が検出される。このことは、ＶＰＬＭＮにおける緊急コールは緊急コールセンターにルーティングされなければならないが、ローミングの場合にＧＧＳＮ、またしたがってＰ−ＣＳＣＦも加入者のホームネットワーク内に存在することが十分に考えられる（またＡＰＮはホームネットワークのプロバイダによって端末装置において事前にコンフィギュレートされるので通常の場合ホームネットワークに存在する）ために必要である。もっともこの構成は、ＰＤＰコンテキストの確立、またそれに続くＩＭＳ登録に非常に時間が掛かる（完全に数秒の範囲）可能性があるという欠点を有する。この理由から現在のところ３ＧＰＰにおいては、端末装置が既にＩＭＳに登録されている場合に、緊急コール時の特別なＩＭＳ登録をどのようにして省略することができるかが熟慮されている。このことは、端末装置は外部のネットワークにログインすることができるが、Ｐ−ＣＳＣＦおよびＧＧＳＮはそれにもかかわらずホームネットワークに存在する可能性があることによって（いわゆるＧＰＲＳローミング、Ｐ−ＣＳＣＦおよびＧＧＳＮの両方とも既に訪問先ネットワーク内に存在するＩＭＳローミングとは異なる）困難になる。本発明は、呼確立を実質的に高速化するために、緊急コール時の特別なＩＭＳ登録をどのように省略することができるかについての考えられる方法に関する。この方法により、ＧＰＲＳ／ＵＭＴＳネットワークの場合には緊急コールＰＤＰコンテキストの確立も省略することができる。
【０００４】
従来の標準TS 23.167は、端末装置がＩＭＳにおける登録を常に特別な緊急コールＳＩＰ  ＵＲＩを用いて実施しなければならないということを規定している。
【０００５】
ＧＰＲＳ／ＵＭＴＳの場合には、このＩＭＳ登録に先行して特別な緊急コールＡＰＮを用いて訪問先ネットワークにおける特別なＰＤＰコンテキストの確立が行われる。
【０００６】
本発明の課題は、緊急コールコネクションの確立を簡略化することである。
【０００７】
この課題はそれぞれ独立請求項の特徴部分に記載されている構成によって解決される。本発明は、特別なＩＭＳ緊急コール登録をどのように省略することができるか、またＧＰＲＳ／ＵＭＴＳにおいては特別なＰＤＰコンテキストの確立をどのようにして省略することができるかという方法に関する。端末装置がこの端末装置のホームネットワークの識別子（＝例えば自身のモバイルネットワーク加入者識別子カード）を識別する識別子（ネットワーク識別子）を局所的に記憶していることを前提とする。移動無線網においてはこの識別子がホームネットワークのＭＣＣ／ＭＮＣ（モバイル国コード；Mobile Country Code／モバイルネットワークコード；Mobile Network Code）としてＳＩＭ／ＵＳＩＭカードに記憶されている。
【０００８】
端末装置が訪問先ネットワークにログインし、この訪問先ネットワークからその訪問先ネットワークのネットワーク識別子に関する情報が通知されると（ＧＰＲＳ／ＵＭＴＳにおいてはこの情報が例えば無線ネットワークを介して送出され、３ＧＰＰ  ＷＬＡＮにおいてはこの情報がアクセス認証中に端末装置に伝送され、次世代固定網では３ＧＰＰ  ＷＬＡＮに類似する方法を使用することができる）、端末装置が既にＩＭＳに登録されており、且つ記憶されているホームネットワークの識別子と訪問先ネットワークから取得した識別子とを比較して２つのネットワークが同一であるならば、つまり端末装置が外部ネットワーク内を移動していないならば、緊急コールのための特別なＩＭＳ登録を省略することができる。加入者は主に自身のホームネットワーク内に留まっており、また端末装置は「常時接続（always-on）」したがって連絡可能であるために常にＩＭＳに登録されていなければならないので、本方法によって緊急コールのための特別なＩＭＳ登録は所属のＰＤＰコンテキストの確立と共にＧＰＲＳ／ＵＭＴＳでは大抵の場合回避される。
【０００９】
一般的な方法の構成にしたがい、本発明によればＰ−ＣＳＣＦが端末装置の登録リクエストに応答して（ＳＩＰ  ＲＥＧＩＳＴＥＲメッセージに対する応答としてのＳＩＰ２００ＯＫ）、このＰ−ＣＳＣＦ自体が存在するネットワークの識別子を端末装置に送信することが提案される。端末装置が、訪問先ネットワーク内に存在し、ホームネットワークには存在しないことを前述したようにして確認すると、登録中にＰ−ＣＳＣＦから取得した情報を用いてこのＰ−ＣＳＣＦが同様に訪問先ネットワークにも存在するか否かを調べることができる。訪問先ネットワークにも存在する場合には、緊急コールのための特別なＩＭＳ登録はもはや必要ない。端末装置は緊急コールの際に即座にＳＩＰセッションをＳＩＰ  ＩＮＶＩＴＥメッセージにより確立することができる。それ以外の場合には緊急コール登録が常に必要とされる。この代替的な方法は前述の方法を適用することができる状況をカバーするが、より一般的に適用することができる。
【００１０】
各Ｐ−ＣＳＣＦが緊急コールを処理できない場合には、Ｐ−ＣＳＣＦはこれに関する情報を同様に端末装置の登録リクエストに対する応答としてこの端末装置に返送することができる。この場合、端末装置はこの情報を特別な緊急コール登録を実施しなければならないか否かの判定時に考慮する必要がある。
【００１１】
本発明は、大抵の場合に緊急コールのための特別なＩＭＳ登録を省略することができ、またＧＰＲＳ／ＵＭＴＳアクセスシステムにおいては固有のＰＤＰコンテキストの確立も省略することができる方法に関する。ＰＤＰコンテキストの確立およびＩＭＳ登録は時間の掛かるプロシージャであるので、したがって本発明により時間を実質的に節約することができる。これは、緊急コールの際には重要な要求である。
【００１２】
殊に本発明はセルラ移動無線網において使用することができるが、ＷＬＡＮ／ＷＩＭＡＸネットワークおよび固定網においても使用することができる。
【００１３】
本発明のさらなる特徴および利点は従属請求項および図面を参照する以下の実施例の説明から明らかになる。ここで図１における実施例は、
事前にＩＭＳに特別な緊急コール登録を行う必要なく、端末装置がＩＭＳ登録の成功後に移動無線アクセスネットワークを介して緊急コールをどのようにして行うことができるかを説明するフローチャートを示す。
【００１４】
図１は、例えばwww.etsi.orgまたはwww.3gppp.orgにおける仕様から当業者には公知である移動無線網の幾つかの構成要素「Ｓ−ＣＳＣＦ」、「Ｐ−ＣＳＣＦ」、「ＧＧＳＮ」、「ＳＧＳＮ」、「無線アクセスネットワーク」（図１におけるRadio Access Network）を示す。端末装置（図１におけるEndgeraet）は移動無線網にログインしており、自身が訪問した移動無線網のネットワーク識別子（「ＭＣＣ１／ＭＮＣ１」）を取得する。
【００１５】
端末装置は移動無線網のＧＧＳＮに対するＰＤＰコンテキストを確立し、Ｐ−ＣＳＣＦとの通信のためのＩＰアドレスおよびＰ−ＣＳＣＦアドレスを取得する。
【００１６】
続いて端末装置はＰ−ＣＳＣＦによってＩＭＳに（「ＳＩＰ  ＲＥＧＩＳＴＥＲ」メッセージを用いて）登録される。端末装置はＰ−ＣＳＣＦから、このＰ−ＣＳＣＦが存在するネットワークのネットワーク識別子「ＭＣＣ２／ＭＮＣ２」を（「ＳＩＰ−２００ＯＫ」メッセージを用いて）取得する。
【００１７】
後に端末装置が緊急コールを行うべき場合には、この緊急コールが以下のようして実現される：端末装置が訪れたネットワークのネットワーク識別子「ＭＣＣ１／ＭＮＣ１」（訪問先の移動無線網での通知／認証などの後に端末装置内に記憶されている）とＰ−ＣＳＣＦが存在するネットワークのネットワーク識別子「ＭＣＣ２／ＭＮＣ２」との比較により、Ｐ−ＣＳＣＦは端末装置が訪れたネットワーク内に存在することが明らかになる。
【００１８】
したがって端末装置は、この端末装置が所望する緊急コールのための特別な（固有の／別個の）登録を実施するのではなく、即座に「ＳＩＰ  ＩＮＶＩＴＥ」メッセージにより緊急コールを確立する。これによって時間が節約される。
【図面の簡単な説明】
【００１９】
【図１】本発明の実施例を説明するためのフローチャート。
【図１】
2009534967.tif 000003
【手続補正書】
【提出日】平成20年10月28日(2008.10.28)
【手続補正１】
【補正対象書類名】特許請求の範囲
【補正対象項目名】全文
【補正方法】変更
【補正の内容】
【特許請求の範囲】
【請求項１】
端末装置から該端末装置が訪れているネットワーク（Ｓ−ＣＳＣＦ，Ｐ−ＣＳＣＦ，ＧＧＳＮ，ＳＧＳＮ，Ｒａｄｉｏ  Ａｃｃｅｓｓ  Ｎｅｔｗｏｒｋ）を介するＩＭＳとの緊急コールコネクションを確立する方法において、
前記端末装置が既に前記ＩＭＳに登録されている場合に、訪問先のネットワークにログインした際に前記端末装置に通知された前記訪問先のネットワークのネットワーク識別子（ＭＣＣ１／ＭＮＣ１）と、前記端末装置のホームネットワークのネットワーク識別子とを比較し、これら２つのネットワーク識別子が一致するならば、緊急コールコネクションの確立時に該緊急コールコネクションのための前記ＩＭＳにおける前記端末装置のＩＭＳ登録を省略することを特徴とする、緊急コールコネクションを確立する方法。
【請求項２】
前記ネットワーク識別子の一致は、前記端末装置および／または前記端末装置内に設けられている移動無線加入者識別モジュールが自身のホームネットワーク内に存在することを示す、請求項１記載の方法。
【請求項３】
前記比較によりネットワーク識別子の一致が明らかになると、前記端末装置は既存のＩＭＳ登録を介して緊急コールを行う、請求項１記載の方法。
【請求項４】
前記比較を前記端末装置において行う、請求項１記載の方法。
【請求項５】
前記ネットワーク識別子は少なくとも１つのモバイル国コード（ＭＣＣ）およびモバイルネットワークコード（ＭＮＣ）を含む、請求項１から４までのいずれか１項記載の方法。
【請求項６】
前記ネットワークはセルラ移動無線網、ＷＬＡＮ、ＷＩＭＡＸネットワークおよび固定網のうちの１つである、請求項１から５までのいずれか１項記載の方法。
【請求項７】
前記端末装置に訪問先の移動無線網のネットワーク識別子を、該訪問先の移動無線網に対する該端末装置の認証時に伝送する、請求項１から６までのいずれか１項記載の方法。
【請求項８】
移動無線網のＰ−ＣＳＣＦが前記端末装置のＩＭＳ登録リクエスト（ＳＩＰ  ＲＥＧＩＳＴＥＲ）に応答して、前記Ｐ−ＣＳＣＦ自体が存在するネットワークのネットワーク識別子（network identifier、ＭＣＣ１／ＭＮＣ１）を前記端末装置に送信し、
前記端末装置は訪問先のネットワークがホームネットワークでないことを確認すると、登録時に前記Ｐ−ＣＳＣＦから取得したネットワーク識別子（ＭＣＣ２／ＭＣＮ２）を用いて、前記Ｐ−ＣＳＣＦは前記端末装置が訪問した移動無線網内に同様に存在するか否かを求め、
前記Ｐ−ＣＳＣＦが前記訪問した移動無線網内に存在する場合には、緊急コールコネクションの確立時に、該緊急コールコネクションのための前記ＩＭＳにおける前記端末装置の特別なＩＭＳ登録を省略し、前記端末装置によって前記緊急コールコネクションのためのＳＩＰセッション（ＳＩＰ  ＩＮＶＩＴＥ）を確立し、
前記Ｐ−ＣＳＣＦが前記訪問した移動無線網内に存在しない場合には、緊急コールコネクションの確立時に、該緊急コールコネクションのためにＳＩＰセッション（ＳＩＰ  ＩＮＶＩＴＥ）を確立する前に、先ず該緊急コールコネクションのために前記ＩＭＳにおける前記端末装置の特別なＩＭＳ登録を行う、請求項１から７までのいずれか１項記載の方法。
【請求項９】
前記緊急コールコネクションのためにＳＩＰセッションを「ＳＩＰ  ＩＮＶＩＴＥ」メッセージにより確立する、請求項８記載の方法。
【請求項１０】
Ｐ−ＣＳＣＦが緊急コールを処理できない場合には、前記Ｐ−ＣＳＣＦは該緊急コールを処理できないことに関する情報を前記端末装置の登録リクエストに対する応答として前記端末装置に返送し、前記端末装置は特別な緊急コール登録を実施する必要があるか否かを判定する際に前記情報を考慮する、請求項１から９までのいずれか１項記載の方法。
【請求項１１】
前記ネットワークが汎用パケット無線サービス（ＧＰＲＳ）および汎用移動通信体システム（ＵＭＴＳ）のアクセスシステムのうちの１つを含む場合には、前記緊急コールのための前記ＩＭＳにおける前記端末装置のＩＭＳ登録と共に別個のＰＤＰコンテキストの確立を省略する、請求項１から１０までのいずれか１項記載の方法。
【請求項１２】
訪問先のネットワーク（Ｓ−ＣＳＣＦ，Ｐ−ＣＳＣＦ，ＧＧＳＮ，ＳＧＳＮ，Ｒａｄｉｏ  Ａｃｃｅｓｓ  Ｎｅｔｗｏｒｋ）を介してＩＭＳとの緊急コールコネクションを確立する端末装置において、
前記訪問先のネットワークにログインした際に通知される前記訪問先のネットワークのネットワーク識別子を受信する手段と、
受信した前記訪問先のネットワークの前記ネットワーク識別子と、端末装置のホームネットワークのネットワーク識別子とを比較する手段と、
端末装置が既に前記ＩＭＳに登録されており、且つ前記比較手段により前記訪問先のネットワークのネットワーク識別子と、前記端末装置のホームネットワークのネットワーク識別子とは一致することが明らかになると、緊急コールコネクションの確立時に該緊急コールコネクションのための前記ＩＭＳにおける端末装置のＩＭＳ登録を省略する手段とを有することを特徴とする、端末装置。
【請求項１３】
前記比較手段によりネットワーク識別子の一致が明らかになると、既存のＩＭＳ登録を介して緊急コールを行う、請求項１２記載の端末装置。
【請求項１４】
前記訪問先のネットワークのネットワーク識別子を、該訪問先のネットワークに対する端末装置の認証時に受信する、請求項１２または１３記載の端末装置。
【請求項１５】
ホームネットワークの識別子が記憶されている加入者識別モジュール（ＳＩＭ）または汎用加入者識別モジュール（ＵＳＩＭ）を有する、請求項１２から１４までのいずれか１項記載の端末装置。
【請求項１６】
前記ネットワーク識別子は少なくとも１つのモバイル国コード（ＭＣＣ）およびモバイルネットワークコード（ＭＮＣ）を含む、請求項１２から１５までのいずれか１項記載の端末装置。
【請求項１７】
前記ネットワーク識別子を送信した前記訪問先ネットワークはセルラ移動無線網、ＷＬＡＮ、ＷＩＭＡＸネットワークおよび固定網のうちの１つである、請求項１２から１６までのいずれか１項記載の端末装置。
【請求項１８】
端末装置のＩＭＳ登録リクエスト（ＳＩＰ  ＲＥＧＩＳＴＥＲ）に対する応答（ＳＩＰ  ２００ＯＫ）として、ネットワークのＰ−ＣＳＣＦから、該Ｐ−ＣＳＣＦ自体が存在するネットワークのネットワーク識別子（ＭＣＣ１／ＭＮＣ１）を受信し、
訪問先のネットワークがホームネットワークでない場合に、登録時に前記Ｐ−ＣＳＣＦから取得したネットワーク識別子を用いて、前記Ｐ−ＣＳＣＦは端末装置が訪問したネットワーク内に同様に存在するか否かを検出する検出手段を有し、
前記Ｐ−ＣＳＣＦが前記訪問したネットワーク内に存在する場合には、緊急コールコネクションの確立時に、該緊急コールコネクションのための前記ＩＭＳにおける端末装置の特別なＩＭＳ登録を省略し、前記緊急コールコネクションのためのＳＩＰセッション（ＳＩＰ  ＩＮＶＩＴＥ）を確立し、
前記Ｐ−ＣＳＣＦが前記訪問したネットワーク内に存在しない場合には、緊急コールコネクションの確立時に、該緊急コールコネクションのためにＳＩＰセッション（ＳＩＰ  ＩＮＶＩＴＥ）を確立する前に、先ず該緊急コールコネクションのために前記ＩＭＳにおける端末装置の特別なＩＭＳ登録を行う、請求項１２から１７までのいずれか１項記載の方法。
【請求項１９】
前記緊急コールコネクションのためにＳＩＰセッションを「ＳＩＰ  ＩＮＶＩＴＥ」メッセージにより確立する、請求項１８記載の端末装置。
【請求項２０】
Ｐ−ＣＳＣＦから、該Ｐ−ＣＳＣＦは該緊急コールを処理できないことに関する情報を受信した後に、特別な緊急コール登録を実施する必要があるか否かを判定する判定手段を有する、請求項１８または１９記載の端末装置。
【請求項２１】
前記ネットワークが汎用パケット無線サービス（ＧＰＲＳ）および汎用移動通信体システム（ＵＭＴＳ）のアクセスシステムのうちの１つを含み、前記緊急コールのための前記ＩＭＳにおける端末装置のＩＭＳ登録と共に別個のＰＤＰコンテキストの確立を省略する、請求項１２から２０までのいずれか１項記載の端末装置。
【国際調査報告】
2009534967.tif 000004
2009534967.tif 000005
2009534967.tif 000006
2009534967.tif 000007
2009534967.tif 000008
2009534967.tif 000009